(57)【要約】【課題】一般的な炊飯器に使用可能で、かつ、使用する際に手間がかからず、長時間保温した場合にもご飯が劣化しにくい炊飯器用保湿カバーを提供する。【解決手段】炊飯器２００の内釜２１０に入っているご飯２３０を保湿状態で保存するための炊飯器用保湿カバー１００であって、開口部１１１を有し、該開口部１１１以外においては水分及び空気を流通させない椀形の保湿カバー本体１１０と、保湿カバー本体１１０の外側表面に設けられた摘み部１２０とを有し、保湿カバー本体１１０は、開口部１１１を下側にして内釜２１０に入っているご飯２３０を覆うようにして内釜２１０に挿入されるように構成されている。【選択図】図３
0003148072.tif 000002
【実用新案登録請求の範囲】
【請求項１】
炊飯器の内釜に入っているご飯を保湿状態で保存するための炊飯器用保湿カバーであって、
開口部を有し、前記開口部以外においては水分及び空気を流通させない椀形の保湿カバー本体と、
前記保湿カバー本体の外側表面に設けられた摘み部と、
を有し、
前記保湿カバー本体は、前記開口部を下側にして前記ご飯を覆うように前記内釜に挿入されるように構成されていることを特徴とする炊飯器用保湿カバー。
【請求項２】
請求項１に記載の炊飯器用保湿カバーにおいて、
前記保湿カバー本体は、前記開口部を囲む開口端部の外周部が前記炊飯器の内釜の内周面に密接状態となるように、前記開口端部の外径が設定されていることを特徴とする炊飯器用保湿カバー。
【請求項３】
請求項２に記載の炊飯器用保湿カバーにおいて、
前記保湿カバー本体は、少なくとも前記開口端部がわずかな弾性を有していることを特徴とする炊飯器用保湿カバー。
【請求項４】
請求項１〜３のいずれかに記載の炊飯器用保湿カバーにおいて、
前記保湿カバー本体は、合成樹脂材で形成されていることを特徴とする炊飯器用保湿カバー。
【考案の詳細な説明】
【技術分野】
【０００１】
本考案は、保温機能付きの炊飯器で炊いたご飯を長時間保温する際に好適な炊飯器用保湿カバーに関する。
【背景技術】
【０００２】
電気式又はガス式の炊飯器は保温機能が設けられているのが一般的であるが、保温機能を長時間稼動させておくと、水分の蒸発による乾燥が生じたり、色が変化したり、臭気を発生したりといったご飯の劣化が生じる課題がある。このようなご飯の劣化を抑制する機能を有した炊飯器は従来から種々提案されている（例えば、特許文献１参照。）。
【０００３】
特許文献１に開示された炊飯器は、乾燥を防ぐための蒸気発生装置を有するとともに炊飯器内の圧力を調整するための圧力調整装置を有し、保温状態において、蒸気発生装置及び圧力調整装置を稼動させることによって、炊飯器内のご飯の劣化を抑制するというものである。
【０００４】
しかしながら、特許文献１に開示された炊飯器は、蒸気発生装置及び圧力調整装置などの特別な装置を設ける必要があり、また、これらの装置を制御するための制御装置を必要とする。このため、特許文献１に開示された炊飯器は、一般的な炊飯器に比べると高価なものとなることから、それほど広く普及しているとは言えない。
【０００５】
一方、炊飯器そのものにご飯の劣化を防ぐ特別な装置を設けるのではなく、すでに所有している一般的な炊飯器にそのまま使用することによって、ご飯の劣化を抑制することができる用具も提案されている（例えば、特許文献２参照。）。
【０００６】
特許文献２に開示されている用具（炊飯器用保湿器）は、椀形状の網ザル容器と、該網ザル容器を覆うための天然パルプ紙とを用いたものであり、その使い方は、まず、網ザル容器で炊飯器内のご飯を覆ったあと、水で濡らした天然パルプ紙で網ザル容器を覆うように取り付けて、その後、炊飯器の蓋を閉じて保温機能を働かせた状態とする。
【０００７】
【特許文献１】特開２００８−１４２２２９号公報
【特許文献２】特開２００５−２６１８９２号公報
【考案の開示】
【考案が解決しようとする課題】
【０００８】
特許文献２に開示された炊飯器用保湿器は、濡れた天然パルプ紙から発せられる水蒸気によって、網ザル容器内のご飯に適度な湿気が与えられるというものであり、それによって、ご飯の劣化が抑制可能であるとしている。
【０００９】
確かに、特許文献２に開示された炊飯器用保湿器は、一般的な炊飯器にそのまま使用することができ、また、ご飯に適度な湿気を与えることができると考えられるが、その都度、天然パルプ紙を濡らして、濡らした天然パルプ紙を網ザル容器に取り付けるといった手間が必要である。また、特許文献２に開示された炊飯器用保湿器は、網ザル容器であるために、空気や水分が流通しやすく、長時間保温した場合には、水分が蒸発したり、色が変化したり、不快な臭気が発生したりといったご飯の劣化は避けられないと考えられる。
【００１０】
そこで本考案は、一般的な炊飯器に使用可能で、かつ、使用する際に手間がかからず、長時間保温した場合にもご飯が劣化しにくい炊飯器用保湿カバーを提供することを目的とする。
【課題を解決するための手段】
【００１１】
（１）本考案の炊飯器用保湿カバーは、炊飯器の内釜に入っているご飯を保湿状態で保存するための炊飯器用保湿カバーであって、開口部を有し、前記開口部以外においては水分及び空気を流通させない椀形の保湿カバー本体と、前記保湿カバー本体の外側表面に設けられた摘み部とを有し、前記保湿カバー本体は、前記開口部を下側にして前記ご飯を覆うように前記内釜に挿入されるように構成されていることを特徴とする。
【００１２】
本考案の炊飯器用保湿カバーによれば、一般的な炊飯器に使用可能で、かつ、使用する際に手間がかからず、炊飯器内のご飯を保湿状態のまま長時間保温することができる。すなわち、本考案の炊飯器用保湿カバーは、保湿カバー本体の開口部を下側にしてご飯を覆うように炊飯器の内釜に挿入するだけものであるので、一般的な炊飯器に使用可能で、かつ、使用する際には面倒な手間は不要である。
【００１３】
また、本考案の炊飯器用保湿カバーは、保湿カバー本体が開口部以外においては水分及び空気を流通させない椀形状をなしているので、ご飯の水分の蒸発を防止することができ、また、外気にさらされるのを防止することができるので、炊飯器を長時間保温状態に設定したままとしても炊飯器内のご飯は十分な水分を保ち、色の変化もなく、不快な臭気の発生もなく、炊き立ての状態を維持することができる。
また、本考案の炊飯器用保湿カバーは、椀形状の保湿カバー本体に摘み部を設けただけであるため、構成が単純で安価なものとすることができる。
【００１４】
（２）本考案の炊飯器用保湿カバーにおいては、前記保湿カバー本体は、前記開口部を囲む開口端部の外周部が前記炊飯器の内釜の内周面に密接状態となるように、前記開口端部の外径が設定されていることが好ましい。
【００１５】
このように、保湿カバー本体の開口端部の外周部が炊飯器の内釜の内周面に密接状態となるように開口端部の外径が設定されていることにより、保湿カバー本体の開口部を下側にしてご飯を覆うように内釜に挿入したときに、保湿カバー本体の開口端部の外周部は炊飯器の内釜の内周面に密接状態となる。これにより、保湿カバー本体と内釜の底部とによって囲まれる空間を密閉状態とすることができるので、ご飯の水分の蒸発を防止することができ、かつ、ご飯が外気にさらされるのを防止することができる。
【００１６】
（３）本考案の炊飯器用保湿カバーにおいては、前記保湿カバー本体は、少なくとも前記開口端部がわずかな弾性を有していることが好ましい。
【００１７】
このように、保湿カバー本体の少なくとも開口端部がわずかな弾性を有していることにより、保湿カバー本体を内釜に挿入したときに、保湿カバー本体の開口端部が内釜の内周面に確実に密接状態となり、それによって、保湿カバー本体と内釜の底部とによって囲まれる空間の密閉状態をより確実なものとすることができる。なお、保湿カバー本体は、開口端部だけでなく保湿カバー本体全体がわずかに弾性を持つように形成されていてもよい。
【００１８】
（４）本考案の炊飯器用保湿カバーにおいては、前記保湿カバー本体は、合成樹脂材で形成されていることが好ましい。
【００１９】
このように、保湿カバー本体が合成樹脂材によって形成されていることにより、変形しにくく耐久性に優れ、ご飯がこびり付きにくいので容易に洗うことができる。また、炊飯器の容量に応じた保湿カバー本体を容易に作製することができる。
【考案を実施するための最良の形態】
【００２０】
以下、本考案の実施形態について説明する。
図１は、実施形態に係る炊飯器用保湿カバー１００を示す斜視図である。
図２は、実施形態に係る炊飯器用保湿カバー１００が使用される炊飯器２００の構成を示す断面図である。なお、図２に示す炊飯器２００は、保温機能付きの一般的な炊飯器であるとする。
【００２１】
実施形態に係る炊飯器用保湿カバー１００は、図１に示すように、開口部１１１を有する椀形の保湿カバー本体１１０と、保湿カバー本体１１０の外側表面にネジなどによって取り付けられている摘み部１２０とを有している。なお、保湿カバー本体１１０は合成樹脂材によって形成され、開口部１１１以外においては水分及び空気を流通させないようになっている。このような保湿カバー本体１１０は、開口部１１１を下側にして、図２に示す炊飯器２００の内釜２１０に入っているご飯（図２では図示せず）を覆うようにして内釜２１０に挿入される。
【００２２】
また、保湿カバー本体１１０の大きさは、炊飯器２００の内釜２１０にすっぽりと収まるような大きさであることが好ましい。具体的には、保湿カバー本体１１０の開口部１１１を囲む開口端部１１２の外径Ｄ１（図１参照）が内釜２１０の内径Ｄ２（図２参照）とほぼ同じとなるようにすることが好ましい。これにより、保湿カバー本体１１０を内釜２１０に挿入したときに、保湿カバー本体１１０の開口端部１１２の外周部は、内釜２１０の内周面２１０ａに密接した状態となる。
【００２３】
また、保湿カバー本体１１０の高さ（摘み部１２０を含んだ高さ）Ｈ１（図１参照）は、内釜２１０の底部２１０ｂまでの深さＨ２（図２参照）よりも小さくする。これにより、保湿カバー本体１１０を内釜２１０に挿入したときに、保湿カバー本体１１０が邪魔となって炊飯器２００の蓋２２０が閉まらなくなるのを防止することができる。
【００２４】
また、保湿カバー本体１１０は、少なくとも開口端部１１２がわずかに弾性を有することが好ましい。このように、開口端部１１２がわずかな弾性を有していることにより、保湿カバー本体１１０を内釜２１０に挿入したときに、保湿カバー本体１１０の開口端部１１２の外周部と内釜２１０の内周面２１０ａとの密接状態がより確実なものとなる。これにより、保湿カバー本体１１０と内釜２１０の底部２１０ｂとによって囲まれる空間の密閉状態をより確実なものとすることができる。なお、保湿カバー本体１１０は、開口端部１１２だけでなく保湿カバー本体１１０全体がわずかに弾性を持つように形成されていてもよい。
【００２５】
図３は、実施形態に係る炊飯器用保湿カバー１００を図２に示す炊飯器２００に使用する場合について説明する図である。図３（ａ）に示すように、まず、内釜２１０内のご飯２３０をしゃもじ（図示せず）で山形に盛る。そして、図３（ｂ）に示すように、保湿カバー本体１１０をその開口部１１１が下側となるようにして内釜２１０に挿入し、図３（ｃ）に示すように、ご飯２３０を覆うようにご飯に被せる。その後、炊飯器２００の蓋２２０を閉じて、保温機能（図示せず）を働かせる。
【００２６】
実施形態１に係る炊飯器用保湿カバー１００が内釜２１０に挿入されて図３（ｃ）に示すようにご飯に被せられた状態となると、保湿カバー本体１１０の開口端部１１２は、内釜２１０内周面２１０ａに密接状態となり、保湿カバー本体１１０と内釜２１０の底部２１０ｂとによって囲まれる空間を密閉状態とすることができる。これによって、ご飯２３０の水分の蒸発を防止することができ、かつ、ご飯２３０が外気にさらされるのを防止することができる。なお、保湿カバー本体１１０の開口端部１１２と、内釜２１０内周面２１０ａとが密接状態となっていれば、山形に盛られたご飯２３０の表面と保湿カバー本体１１０の内面とは、必ずしも密着している必要はなく、多少の空間が存在していてもよい。
【００２７】
実施形態に係る炊飯器用保湿カバー１００が図３（ｃ）に示すような状態となっていれば、炊飯器２００を長時間、保温状態に設定したままとしても炊飯器２００内のご飯は十分な水分を保ち、色の変化もなく、また、不快な臭気も発生しないことが確かめられた。
【００２８】
そして、図３（ｃ）に示す状態から炊飯器用保湿カバー１００を取り外す際は、一方の手で保湿カバー本体１１０の摘み部１２０をつまんで、他方の手でしゃもじ（図示せず）を内釜２１０の内周面２１０ａと保湿カバー本体１１０の開口端部１１２との間に差し込みながら摘み部１２０持ち上げるようにすれば、容易に炊飯器用保湿カバー１００を取り外すことができる。
【００２９】
このように、実施形態に係る炊飯器用保湿カバー１００を図３に示すように使用することによって、炊飯器２００を長時間、保温状態に設定したままとしてもご飯は十分な水分を保ち、色の変化もなく、また、不快な臭気も発生せず、炊き立ての状態を維持することができる。このように、炊飯器２００を長時間、保温状態に設定したままとしても炊き立ての状態を維持することができるのは、保湿カバー本体１１０と内釜２１０の底部２１０ｂとによって囲まれる空間を密閉状態とし、それによって、水分及び空気が流通しないためである。また、実施形態に係る炊飯器用保湿カバー１００を図３に示すように使用した場合、真夏でも長時間腐敗しにくいことも確かめられた。これは、保湿カバー本体１１０内の温度が雑菌類の繁殖しやすい温度（３６〜４０℃）よりも、十分に高温となっているためである。
【００３０】
また、炊飯器用保湿カバー１００を装着する前に、霧吹きなどにより適度な水分を与えておくことにより、ご飯の硬さの調整も可能となる。
【００３１】
以上説明したように、実施形態に係る炊飯器用保湿カバー１００は、一般的な炊飯器にそのまま使用することができ、また、炊飯器２００内のご飯を山形に盛って、その上からご飯を覆うようにして被せるだけであるので、使用する際に手間がかからず使い勝手がよい。また、保湿カバー本体１１０が合成樹脂材によって形成されていることにより、変形しにくく耐久性に優れ、ご飯がこびり付きにくいので容易に洗うことができる。
【００３２】
なお、本考案は上記実施形態に限られるものではなく、本考案の要旨を逸脱しない範囲で種々変形実施可能である。例えば、上記実施形態においては、保湿カバー本体１１０の開口端部１１２が内釜２１０の内周面２１０ａに密接状態となるようにしたが、内釜２１０の内周面２１０ａではなく、内釜２１０の底部２１０ｂに密接状態となるようにしてもよい。いずれの場合であっても、保湿カバー本体１１０でご飯全体を覆うことができるので、ご飯の水分の蒸発を防ぎ、また、空気の流通も防ぐことができ、ご飯を劣化させず、炊き立てを維持することができる。
【図面の簡単な説明】
【００３３】
【図１】実施形態に係る炊飯器用保湿カバー１００を示す図。
【図２】実施形態に係る炊飯器用保湿カバー１００が使用される炊飯器２００の構成を示す図。
【図３】実施形態に係る炊飯器用保湿カバー１００を図２に示す炊飯器２００に使用する場合について説明する図。
【符号の説明】
【００３４】
１００・・・炊飯器用保湿カバー、１１０・・・保湿カバー本体、１１１・・・開口部、１１２・・・開口端部、１２０・・・摘み部、２００・・・炊飯器、２１０・・・内釜、２１０ａ・・・内釜の内周面、２１０ｂ・・・内釜の底面、２２０・・・蓋、２３０・・・ご飯
【図１】
0003148072.tif 000003
【図２】
0003148072.tif 000004
【図３】
0003148072.tif 000005